(57)【要約】【課題】水平支板における塵落し孔の一側縁部とカバー部材との隙間より落下した塵芥が、塵受け支持部材上に溜まることはなく、また水平支板の清掃を簡単に行うことができ、しかも常時は美麗な外観を保つことができるようにした水平支板における塵受け装置を提供する。【解決手段】棚板２等の水平支板２ａに塵落し孔８を設けるとともに、水平支板２ａの下方に設けた塵受け支持部材９に、塵落し孔８より落下する塵芥を受ける塵受け筺１０を、塵落し孔８の一側縁部が、塵受け筺１０の上方において、塵受け筺１０の側縁より内方に突出する庇部２ｄを形成するようにして設け、かつ塵落し孔８を、着脱自在のカバー部材１２により閉塞する。【選択図】      図２
2009195284.tif 000002
【特許請求の範囲】
【請求項１】
水平支板に塵落し孔を設けるとともに、水平支板の下方に設けた塵受け支持部材に、前記塵落し孔より落下する塵芥を受ける塵受け筺を、前記塵落し孔の一側縁部が、塵受け筺の上方において、塵受け筺の側縁より内方に突出する庇部を形成するようにして設け、かつ前記塵落し孔を、着脱自在のカバー部材により閉塞したことを特徴とする水平支板における塵受け装置。
【請求項２】
塵受け支持部材を、底片の対向縁に起立片が連設され、両起立片の上端に外向きの取付片が連設されたものとし、一方の取付片を、水平支板の下面における塵落し孔の一方の縁より外側に離間した部分に固着し、かつ他方の取付片を、水平支板の下面における塵落し孔の他方の縁の近傍に固着したことを特徴とする請求項１記載の水平支板における塵受け装置。
【請求項３】
塵受け支持部材の他方の取付片を、その一部が塵落し孔の他方の縁より内方に位置するようにして、他部を水平支板の下面における塵落し孔の他方の縁の近傍に固着し、前記他方の取付片における塵落し孔の他方の縁より内方に位置する部分の上面に、カバー部材の一部を載置して支持するようにしたことを特徴とする請求項２記載の水平支板における塵受け装置。
【請求項４】
カバー部材に、下端が塵受け筺の内底面に当接する足片を設けたことを特徴とする請求項１〜３のいずれかに記載の水平支板における塵受け装置。
【請求項５】
カバー部材に、塵受け筺が庇部の下方位置から離れる方向への移動を阻止するストッパを設けたことを特徴とする請求項１〜４のいずれかに記載の水平支板における塵受け装置。
【請求項６】
ストッパを、カバー部材の下面から垂下し、塵受け筺の外側面に当接する垂下片により形成したことを特徴とする請求項５記載の水平支板における塵受け装置。
【請求項７】
カバー部材における、庇部に対向する縁から、塵受け筺の直上に位置する範囲内において、塵落し用の切欠きを設けたことを特徴とする請求項１〜６のいずれかに記載の水平支板における塵受け装置。
【請求項８】
塵受け筺の寸法を、塵落し孔より出し入れしうるものとしたことを特徴とする請求項１〜７のいずれかに記載の水平支板における塵受け装置。
【発明の詳細な説明】
【技術分野】
【０００１】
本発明は、スーパーマーケットやデパートの食品売場等で使用される商品陳列棚の棚板、商品陳列台の台板、テーブルの天板等(以下水平支板という)において、水平支板の清掃を簡単に行えるようにした塵受け装置に関する。
【背景技術】
【０００２】
例えばベーカリーや惣菜売場等のセルフピッキング型の商品陳列棚では、棚板上に散らばったパン屑や惣菜等を処理する場合、店員が、雑巾等でいちいち掃除をしているのが現状であり、面倒である。
【０００３】
商品陳列棚の棚板上に青果物等を陳列して、裸売りやばら売りをする際、棚板の下部に、傷んだ葉等を捨てるゴミ箱を設けるようにしたものがある（特許文献１参照）が、このものにおいては、ゴミ箱を引き出した後、棚板上の塵芥を一旦持ち上げて、ゴミ箱に投入しなければならず、その作業が煩雑である。
【特許文献１】特開２０００−３１６６８６号公報
【発明の開示】
【発明が解決しようとする課題】
【０００４】
上述のような問題を解決するものとして、本出願人は、棚板の上面に、左右方向を向く塵落し用の凹溝を形成し、この凹溝内に、塵受け筺を着脱自在に収容したことを特徴とする商品陳列棚について、特許出願している(特願２００６−１９７２７７)。
【０００５】
しかし、この商品陳列棚においては、凹溝の側壁と塵受け筺との隙間から侵入した塵芥が、凹溝内に溜まり、それを除去するのが面倒であるという問題がある。
【０００６】
したがって、本発明は、このような問題を解決するとともに、棚板等の水平支板の清掃を簡単に行うことができ、しかも常時は美麗な外観を保つことができるようにした水平支板における塵受け装置を提供することを目的としている。
【課題を解決するための手段】
【０００７】
本発明によると、上記課題は、次のようにして解決される。
(１)  水平支板に塵落し孔を設けるとともに、水平支板の下方に設けた塵受け支持部材に、前記塵落し孔より落下する塵芥を受ける塵受け筺を、前記塵落し孔の一側縁部が、塵受け筺の上方において、塵受け筺の側縁より内方に突出する庇部を形成するようにして設け、かつ前記塵落し孔を、着脱自在のカバー部材により閉塞する。
【０００８】
このような構成とすると、水平支板における塵落し孔の一側縁部が、庇部として塵受け筺の側縁より内方に突出しているので、それとカバー部材との隙間より落下した塵芥は、必ず塵受け筺内に受入れられ、塵受け支持部材上に溜まることはない。
したがって、塵受け支持部材内を清潔に保つことができる。
また、カバー部材を外して、水平支板上の塵芥を、庇部より塵受け筺内に掃き落とすことにより、水平支板の清掃を簡単に行うことができ、しかもこのとき、庇部があるので、塵芥が、塵受け支持部材の内側面と塵受け筺の外側面との隙間に侵入することはない。
さらに、常時は、塵落し孔をカバー部材をもって閉塞しておくことにより、塵受け筺や、その中に溜まった塵芥が外部に露呈することはなく、美麗な外観を保つことができる。
【０００９】
(２)  上記(１)項において、塵受け支持部材を、底片の対向縁に起立片が連設され、両起立片の上端に外向きの取付片が連設されたものとし、一方の取付片を、水平支板の下面における塵落し孔の一方の縁より外側に離間した部分に固着し、かつ他方の取付片を、水平支板の下面における塵落し孔の他方の縁の近傍に固着する。
【００１０】
このような構成とすると、金属板を折曲するだけで、塵受け支持部材を簡単に形成することができるとともに、塵受け筺を、その一側部を水平支板における塵落し孔の一側縁部である庇部の下方に潜入するようにして、安定よく支持することができる。
【００１１】
(３)  上記(２)項において、塵受け支持部材の他方の取付片を、その一部が塵落し孔の他方の縁より内方に位置するようにして、他部を水平支板の下面における塵落し孔の他方の縁の近傍に固着し、前記他方の取付片における塵落し孔の他方の縁より内方に位置する部分の上面に、カバー部材の一部を載置して支持するようにする。
【００１２】
このような構成とすると、カバー部材の一方の端部を安定して支持することができる。
【００１３】
(４)  上記(１)〜(３)項のいずれかにおいて、カバー部材に、下端が塵受け筺の内底面に当接する足片を設ける。
【００１４】
このような構成とすると、カバー部材を安定して支持することができる。
特に、上記(３)項の構成と組み合わせて、カバー部材の一方の端部を、塵受け支持部材の他方の取付片における塵落し孔の縁より内方に位置する部分の上面に載置し、かつカバー部材の一方の端部に足片を設けて、その下端を塵受け筺の内底面に当接させると、カバー部材を、より安定して支持することができる。
【００１５】
(５)  上記(１)〜(３)項のいずれかにおいて、カバー部材に、塵受け筺が庇部の下方位置から離れる方向への移動を阻止するストッパを設ける。
【００１６】
このような構成とすると、地震その他の振動等により、塵受け筺が庇部の下方位置から離れる方向へ移動し、その後、庇部の先端とそれに対向するカバー部材の縁との隙間から落下した塵芥が、塵受け筺に溜まらず、塵受け支持部材上に溜まるおそれを、未然に防止することができる。
【００１７】
(６)  上記(５)項において、ストッパを、カバー部材の下面から垂下し、塵受け筺の外側面に当接する垂下片により形成する。
【００１８】
このような構成とすると、ストッパを簡単に形成することができる。
【００１９】
(７)  上記(１)〜(６)項のいずれかにおいて、カバー部材における、庇部に対向する縁から、塵受け筺の直上に位置する範囲内において、塵落し用の切欠きを設ける。
【００２０】
このような構成とすると、水平支板の清掃時に、カバー部材をその都度外す必要がなく、水平支板上の塵芥を、カバー部材の切欠きを通して、塵受け筺に掃き落とすことができ、清掃作業がさらに楽になる。
【００２１】
(８)  上記(１)〜(７)項のいずれかにおいて、塵受け筺の寸法を、塵落し孔より出し入れしうるものとする。
【００２２】
このような構成とすると、カバー部材を外した状態で、塵受け筺を、水平支板の塵落し孔より出し入れすることができ、塵受け筺に溜まった塵芥の処理作業が楽になる。
【発明の効果】
【００２３】
本発明によると、水平支板における塵落し孔の一側縁部とカバー部材との隙間より落下した塵芥が、塵受け支持部材上に溜まることはなく、また水平支板の清掃を簡単に行うことができ、しかも常時美麗な外観を保つことができる。
【発明を実施するための最良の形態】
【００２４】
以下、本発明の一実施形態を、添付図面を参照して説明する。  
図１は、本発明の一実施形態を備える商品陳列棚の斜視図、図２は、図１のII−II線における拡大縦断側面図、図３は、図１のIII−III線における拡大縦断正面図である。
【００２５】
この商品陳列棚は、支持台１上に設けた最下段の棚板２の上方後部に、奥行きをこの棚板２より小とした中段の棚板３を、スペーサ４を介して設け、この中段の棚板３の上方後部に、奥行きをこの棚板３よりさらに小とした最上段の棚板(または天板)５を、スペーサ６を介して設けてなり、最下段の棚板２と中段の棚板３とに、本発明の塵受け装置７、７が設けられている。
なお、最下段の棚板２に設けた塵受け装置７と、中段の棚板３に設けた塵受け装置７とは、全く同一の構成であるので、以下の説明では、最下段の棚板２に設けた塵受け装置７のみについて詳細に説明する。
【００２６】
棚板２は、図３に示すように、方形の金属板よりなる水平支板２ａの前後左右の縁を、下方および内方に順次折り曲げて、垂下縁２ｂと内向縁２ｃとを連設してなり、適宜の手段をもって、支持台１上に固定されている。
【００２７】
棚板２の水平支板２ａの後部におけるスペーサ４よりやや前方の部分において、水平支板２ａには、そのほぼ全幅に亘って、左右方向の長方形の塵落し孔８が設けられており、塵落し孔８の下方には、塵受け支持部材９が設けられている。
【００２８】
塵受け支持部材９は、金属板を折曲して形成され、図２に示すように、水平の底片９ａと、この底片９ａの前後の縁から起立する起立片９ｂ、９ｃと、両起立片９ｂ、９ｃの上端に連設された前後外向きの水平の取付片９ｄ、９ｅとを備えている。
前方の取付片９ｄは、水平支板２ａの下面における塵落し孔８の前縁より前方に離間した部分に固着され、後方の取付片９ｅは、その前部を塵落し孔８の後縁より前方に位置させ、水平支板２ａの下面における塵落し孔８の後方に固着されている。
【００２９】
塵受け支持部材９内には、塵落し孔８より落下する塵芥を受ける塵受け筺１０が収容されている。
この塵受け筺１０は、上面が開口する横長箱状をなし、底板１０ａと、前後および左右の縁から起立する前面板１０ｂ、後面板１０ｃ、および両側板１０ｄ、１０ｄ、並びに両側板１０ｄ、１０ｄの上端に連設した内向きの取手１０ｅ、１０ｅを備えている。各取手片１０ｅの中央部には、吊り下げ用のフック(図示略)等を係止するための吊り孔１１が設けられている。
【００３０】
塵受け筺１０の左右長は、塵落し孔８の左右長よりわずかに大としてあり、またその前後幅は、塵落し孔８の前後幅よりわずかに小としてある。
塵受け筺１０の左右長および前後幅を、このような寸法としてあるので、塵受け筺１０を、左右いずれか一方の端部が他方の端部より下位となるように傾けて、その一方の端部を、塵落し孔８に挿入しつつ、外側方に移動させて、水平支板２ａにおける塵落し孔８の側縁部の下方に潜入させ、次いで、塵受け筺１０を水平姿勢に戻しつつ、塵受け筺１０全体を、塵落し孔８を通して、塵受け支持部材９上に載置した後、左右の端部がそれぞれ塵落し孔８の両側縁部の下方に潜入するように左右方向に移動させ、さらに、塵受け筺１０を、その前面が塵受け支持部材９の前方の起立片９ｂに当接するまで前方に移動させることにより、水平支板２ａにおける塵落し孔８の前縁部が、塵受け筺１０の上方において、塵受け筺１０の前縁より内方に突出する庇部２ｄを形成する正規の装着位置に位置させることができる。
【００３１】
また、塵受け筺１０を、上記と逆に移動させることにより、塵落し孔８から簡単に取り出すことができる。
【００３２】
塵落し孔８は、着脱自在な左右１対のカバー部材１２、１２により閉塞されている。
各カバー部材１２は、基本的には塵落し孔８の半部の形状と補形をなしているが、この例では、前縁から後方に向かう左右１対の塵落し用の切欠き１３、１３が設けられた閉塞板１４と、この閉塞板１４における切欠き１３、１３を除く前縁から垂下し、下端が塵受け筺１０の内底面に当接するようにした足片１５と、閉塞板１４の下面から垂下し、正規の装着位置に位置している塵受け筺１０の後面に当接(または近接)するようにした垂下片１６とを備えている。
【００３３】
カバー部材１２は、その閉塞板１４の前縁が、庇部２ｄの後端に当接するか、または近接するようにして、足片１５の下端が塵受け筺１０の内底面に当接し、閉塞板１４の後端部が、塵受け支持部材９の後方の取付片９ｅにおける塵落し孔８の後縁より前方の部分により形成された段部の上面に載置され、かつ閉塞板１４の後端が、塵落し孔８の後縁に当接するようにして、安定して支持されている。
【００３４】
このとき、垂下片１６が、正規の装着位置に位置している塵受け筺１０の後面に当接することにより、塵受け筺１０の後方への移動が阻止される。
すなわち、垂下片１６は、塵受け筺１０が庇部２ｄの下方位置から離れる方向への移動を阻止するストッパをなしている。
【００３５】
閉塞板１４における塵落し用の切欠き１３は、正規の装着位置に位置している塵受け筺１０の直上に位置する範囲内に制限されており、それによって、この切欠き１３から落下する塵芥が、塵受け筺１０から外れて、その外側の塵受け支持部材９の底片９ａ上に溜まらないようにしてある。
また、この切欠き１３を設けたことにより、水平支板２ａの清掃時に、カバー部材１２をその都度外す必要がなく、水平支板２ａ上の塵芥を、カバー部材１２の切欠き１３を通して、塵受け筺１０に掃き落とすことができ、清掃作業が楽になる。
【００３６】
この実施形態においては、塵落し孔８、塵受け支持部材９、塵受け筺１０、カバー部材１２等により、塵受け装置７が形成され、棚板２の水平支板２ａにおける塵落し孔８の一側縁部とカバー部材１２との隙間より落下した塵芥が、塵受け支持部材９上に溜まることはなく、また水平支板２ａの清掃を簡単に行うことができ、しかも常時は美麗な外観を保つことができる。
【００３７】
本発明は、上記実施形態のみに限定されるものではなく、幾多の変形した態様での実施が可能である。
例えば、上記実施形態においては、２個のカバー部材１２により、塵落し孔８を閉塞するようにしてあるが、１個のみ、または３個以上のカバー部材により、塵落し孔８を閉塞するようにしてもよい。
【００３８】
また、カバー部材１２に切欠き１３を設けないで、水平支板２ａの清掃時に、カバー部材１２を外して、水平支板２ａ上の塵芥を塵受け筺１０に掃き落とすようにしてもよい。
【産業上の利用可能性】
【００３９】
上記実施形態は、本発明を商品陳列棚における棚板に適用した場合のものであるが、本発明は、これに限られるものではなく、例えば陳列台における台板、机やテーブルにおける天板等にも適用することができる。
【図面の簡単な説明】
【００４０】
【図１】本発明の一実施形態を備える商品陳列棚の斜視図である。
【図２】図１のII−II線における拡大縦断側面図である。
【図３】図１のIII−III線における拡大縦断正面図である。
【符号の説明】
【００４１】
１  支持台
２、３、５  棚板
２ａ水平支板
２ｂ垂下縁
２ｃ内向縁
２ｄ庇部
４、６  スペーサ
７  塵受け装置
８  塵落し孔
９  塵受け支持部材
９ａ底片
９ｂ、９ｃ  起立片
９ｄ、９ｅ  取付片
１０  塵受け筺
１０ａ底板
１０ｂ前面板
１０ｃ後面板
１０ｄ側板
１０ｅ取手片
１１  吊り孔
１２  カバー部材
１３  切欠き
１４  閉塞板
１５  足片
１６  垂下片(ストッパ)
【図１】
2009195284.tif 000003
【図２】
2009195284.tif 000004
【図３】
2009195284.tif 000005